(57)【要約】【課題】調光制御等の照明器具の制御を容易に行うことができる照明器具を提供する。【解決手段】被取付部に取り付けられる照明器具１であって、照明光を発する光源部１１を有する灯具１０と、光源部１１を点灯させるための電力を生成する電源部２１及び電源部２１を収納する電源筐体２２を有する電源ユニット２０と、灯具１０及び電源ユニット２０を連結し、灯具１０を回動可能に支持するアーム３０とを備え、電源筐体２２は、照明器具１を制御するための赤外線信号を受信する赤外線通信モジュール４１と、照明器具１を制御するための無線信号を受信する無線通信モジュール４２とを収納し、電源筐体２２には、赤外線通信モジュール４１により受信される赤外線信号が通る第１開口部２３が形成されている。【選択図】図２
2018139202.tif 000002
【特許請求の範囲】
【請求項１】
被取付部に取り付けられる照明器具であって、
照明光を発する光源部を有する灯具と、
前記光源部を点灯させるための電力を生成する電源部及び前記電源部を収納する電源筐体を有する電源ユニットと、
前記灯具及び前記電源ユニットを連結し、前記灯具を回動可能に支持するアームとを備え、
前記電源筐体は、前記照明器具を制御するための赤外線信号を受信する赤外線通信モジュールと、前記照明器具を制御するための無線信号を受信する無線通信モジュールとを収納し、
前記電源筐体には、前記赤外線通信モジュールにより受信される赤外線信号が通る第１開口部が形成されている、
照明器具。
【請求項２】
前記電源筐体は、前記電源筐体を前記被取付部に取り付けるための取付面を有し、
前記第１開口部は、前記電源筐体の前記取付面と背向する面に形成されている、
請求項１に記載の照明器具。
【請求項３】
前記第１開口部が形成された面に向かって前記電源筐体を見たときに、前記第１開口部は、前記赤外線通信モジュールの赤外線受信部と重なる位置に形成されている、
請求項１又は２に記載の照明器具。
【請求項４】
前記第１開口部は、長尺状である、
請求項１〜３のいずれか１項に記載の照明器具。
【請求項５】
前記第１開口部は、長方形又は楕円形である、
請求項４に記載の照明器具。
【請求項６】
前記第１開口部は、前記灯具がどのような向きに向けられても前記灯具と重ならない位置に形成されている、
請求項１〜５のいずれか１項に記載の照明器具。
【請求項７】
前記電源筐体は、金属製であり、
前記電源筐体には、前記無線通信モジュールにより受信される無線信号が通る第２開口部が形成されている、
請求項１〜６のいずれか１項に記載の照明器具。
【請求項８】
前記第２開口部は、長尺状のスリットである、
請求項７に記載の照明器具。
【請求項９】
前記第２開口部は、前記電源筐体の側面に形成されており、
前記無線通信モジュールの無線アンテナ部は、主面が前記側面に向くように配置されている、
請求項７又は８に記載の照明器具。
【請求項１０】
前記電源筐体を断面視したときに、前記第２開口部は、傾斜している、
請求項６〜９のいずれか１項に記載の照明器具。
【請求項１１】
前記電源筐体を断面視したときに、前記第２開口部は、前記電源筐体の側板部の外面から内面に向かったときに前記被取付部に近づく方向に傾斜している、
請求項１０に記載の照明器具。
【請求項１２】
前記電源筐体を断面視したときに、前記第２開口部は、前記電源筐体の側板部の外面から内面に向かたっときに前記被取付部から離れる方向に傾斜している、
請求項１０に記載の照明器具。
【請求項１３】
前記赤外線通信モジュールは、前記照明器具を制御するための赤外線信号として、前記照明光の照明態様を制御するための赤外線信号を受信し、
前記無線通信モジュールは、前記照明器具を制御するための無線信号として、前記照明光の照明態様を制御するための無線信号を受信する、
請求項１〜１２のいずれか１項に記載の照明器具。
【発明の詳細な説明】
【技術分野】
【０００１】
本発明は、スポットライト等の照明器具に関する。
【背景技術】
【０００２】
スポットライトは、例えば、照明光を照射する灯具と、電源回路を収納する電源ボックスからなる電源ユニットと、灯具及び電源ユニットを連結するアームとを備える（例えば、特許文献１）。
【０００３】
この種のスポットライトでは、灯具とアームとの連結部分及び電源ユニットとアームとの連結部分がそれぞれ角度調整自在となっている。これにより、灯具の向きを自在に変えることができ、灯具から出射する光の方向を変えることができる。
【先行技術文献】
【特許文献】
【０００４】
【特許文献１】特開２０１４−１４６５０３号公報
【発明の概要】
【発明が解決しようとする課題】
【０００５】
スポットライトでは、明るさを１台ごとに調整できるように、個別調光機能を有するものが検討されている。この場合、電源ボックスに調光用の操作つまみ（ボリューム）を設けることが考えられる。
【０００６】
しかしながら、スポットライトは高い位置に設置されるため、電源ボックスに調光用の操作つまみが設けられていると、調光を行うたびに高い位置にある操作つまみを操作することになる。このため、調光することに労力を伴うばかりか、上向きの姿勢で操作をすることになって安全面に劣る。このように、従来のスポットライトでは、調光制御が行いにくいという課題がある。
【０００７】
本発明は、このような課題を解決するためになされたものであり、調光制御等の照明器具の制御を容易に行うことができる照明器具を提供することを目的とする。
【課題を解決するための手段】
【０００８】
上記目的を達成するために、本発明に係る照明器具の一態様は、被取付部に取り付けられる照明器具であって、照明光を発する光源部を有する灯具と、前記光源部を点灯させるための電力を生成する電源部及び前記電源部を収納する電源筐体を有する電源ユニットと、前記灯具及び前記電源ユニットを連結し、前記灯具を回動可能に支持するアームとを備え、前記電源筐体は、前記照明器具を制御するための赤外線信号を受信する赤外線通信モジュールと、前記照明器具を制御するための無線信号を受信する無線通信モジュールとを収納し、前記電源筐体には、前記赤外線通信モジュールにより受信される赤外線信号が通る第１開口部が形成されている。
【発明の効果】
【０００９】
本発明によれば、調光制御等の照明器具の制御を容易に行うことができる。
【図面の簡単な説明】
【００１０】
【図１】実施の形態に係る照明器具の外観斜視図である。
【図２】実施の形態に係る照明器具の側面図である。
【図３】実施の形態に係る照明器具の上面図である。
【図４】実施の形態に係る照明器具の底面図である。
【図５】実施の形態に係る照明器具の断面図である。
【図６】変形例１に係る照明器具の側面図である。
【図７】変形例２に係る照明器具の斜視図である。
【図８】変形例２に係る照明器具の底面図である。
【図９】変形例２に係る照明器具の断面図である。
【図１０】変形例２の他の例に係る照明器具の斜視図である。
【図１１】変形例３に係る照明器具の斜視図である。
【図１２】変形例４に係る照明器具の断面図である。
【図１３】変形例５に係る照明器具の断面図である。
【図１４】変形例６に係る照明器具の斜視図である。
【図１５】変形例７に係る照明器具の斜視図である。
【発明を実施するための形態】
【００１１】
以下、本発明の実施の形態について、図面を参照しながら説明する。なお、以下で説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。各図において、実質的に同一の構成に対しては同一の符号を付しており、重複する説明は省略又は簡略化される場合がある。
【００１３】
なお、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１４】
（実施の形態）
まず、実施の形態に係る照明器具１について、図１〜図５を用いて説明する。図１は、実施の形態に係る照明器具１の外観斜視図である。図２は、同照明器具１の側面図である。図３は、同照明器具１の上面図である。図４は、同照明器具１の底面図である。図５は、図４のV−V線における同照明器具１の断面図である。なお、図５において、電源部２１は図示していない。
【００１５】
図１に示すように、照明器具１は、例えばライティングダクト２（配線ダクト）に設置されるスポットライトであって、照明光を照射する灯具１０と、電源ユニット２０と、灯具１０及び電源ユニット２０を連結するアーム３０とを備える。
【００１６】
ライティングダクト２は、照明器具１が取り付けられる被取付部の一例であり、建物の天井、梁又は壁等の造営材に設置される。照明器具１は、ライティングダクト２に取り付けられることで、ライティングダクト２から交流電力（系統電力等）の供給を受ける。なお、照明器具１は、ライティングダクト２に設置される場合に限らず、建物の造営材を被取付部として、建物の造営材に直接取り付けられていてもよい。
【００１７】
以下、本実施の形態における照明器具１の各構成部材について、図１〜図５を参照しながら詳細に説明する。
【００１８】
［灯具］
灯具１０は、照明光を照射する光源部１１と、光源部１１を支持する灯具本体１２と、光源部１１の光照射側に配置された反射板１３及びレンズ１４とを有する。
【００１９】
光源部１１は、照明光として白色光を発する光源モジュールである。本実施の形態において、光源部１１は、ＬＥＤ（Ｌｉｇｈｔ  Ｅｍｉｔｔｉｎｇ  Ｄｉｏｄｅ）を光源とするＬＥＤモジュールである。一例として、光源部１１は、ＣＯＢ（Ｃｈｉｐ  Ｏｎ  Ｂｏａｒｄ）タイプのＬＥＤモジュールであり、基板と、基板に実装された複数のＬＥＤと、ＬＥＤを封止する封止部材とを有する。ＬＥＤ及び封止部材は、光源部１１の発光部となる。
【００２０】
基板は、ＬＥＤを実装するための実装基板であって、例えば、セラミックス基板、樹脂基板又はメタルベース基板等である。なお、基板には、直流電力を電源ユニット２０から受電するための一対の電極端子と、ＬＥＤ同士を電気的に接続するための所定のパターンの金属配線とが形成されている。
【００２１】
ＬＥＤは、例えば単色の可視光を発するベアチップである。ＬＥＤとしては、例えば、通電されれば青色光を発する青色ＬＥＤチップを用いることができる。ＬＥＤは、例えば基板にマトリクス状に複数個配置されている。なお、ＬＥＤは、少なくとも１つ配置されていればよい。
【００２２】
封止部材は、例えば透光性樹脂である。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色ＬＥＤチップである場合、白色光を得るために、例えばＹＡＧ系の黄色蛍光体を用いることができる。この場合、黄色蛍光体が、青色ＬＥＤチップが発した青色光の一部を吸収して励起されて黄色光を放出する。そして、この黄色光と黄色蛍光体に吸収されなかった青色光とが混ざって白色光となって光源部１１から出射する。
【００２３】
また、本実施の形態における光源部１１は、調光制御及び調色制御を行うことができる光源モジュールである。したがって、光源部１１は、例えば光色又は色温度が異なる複数の発光部を有する。この場合、光色の異なるＬＥＤを用いたり、波長変換材（蛍光体）の種類及び量を調整したりすることによって、各発光部の光色及び色温度を異ならせることができる。
【００２４】
このように構成される光源部１１は、例えばねじやホルダ等の取付部材によって灯具本体１２に固定される。また、光源部１１の基板に設けられた一対の電極端子は、電源ユニット２０の電源部２１の出力端子とがリード線等によって接続される。これにより、光源部１１は、電源ユニット２０から電力が供給されて発光する。
【００２５】
灯具本体１２は、光源部１１、反射板１３及びレンズ１４を支持する支持部材であるとともに、灯具１０の外郭をなす外郭筐体である。また、灯具本体１２は、光源部１１で発生する熱を放熱するヒートシンクとしても機能する。したがって、灯具本体１２は、アルミニウム等の金属材料又は高熱伝導樹脂等の熱伝導率の高い材料によって作製されているとよい。本実施の形態において、灯具本体１２は、アルミダイカスト製である。また、灯具本体１２の形状は、外面が円筒表面となる外形形状を有するが、灯具本体１２の形状は、これに限るものではない。
【００２６】
反射板１３は、光源部１１から出射した光を反射する反射部材である。具体的には、反射板１３の内面は、光源部１１からの光を反射させる反射面となっており、反射板１３は、反射面によって光源部１１から出射した光を所望の方向に向くように制御している。本実施の形態において、反射板１３は、光源部１１から出射した光がレンズ１４に入射するように配光制御している。
【００２７】
反射板１３は、例えばＰＢＴ（ポリブチレンテレフタレート）等の樹脂材料を用いた作製された白色の樹脂成型品であってもよいし、樹脂成型品の内面にアルミニウム等の金属膜が形成されたものであってもよいし、アルミニウム等の金属材料によって形成された金属部品であってもよい。
【００２８】
レンズ１４は、光源部１１及び反射板１３の開口部を覆うように配置されている。レンズ１４は、光源部１１から出射した光及び反射板１３で反射した光を所定の方向に配光制御する機能を有する。一例として、レンズ１４は、フレネルレンズである。これにより、レンズ１４に入射した光を集光して、灯具１０からスポット状の照明光（スポット光）を照射させることができる。
【００２９】
レンズ１４は、透光性を有する透光性材料によって形成されている。具体的には、レンズ１４は、アクリル又はポリカーボネート等の透明樹脂材料、又は、ガラス材料によって構成される。
【００３０】
［電源ユニット］
電源ユニット２０は、電源機能を有しており、光源部１１（灯具１０）を点灯させるための電力を生成して灯具１０に給電する。本実施の形態における光源部１１は、直流電流によって駆動するので、電源ユニット２０から灯具１０には、直流電力が供給される。
【００３１】
電源ユニット２０は、電源機能を有する電源部２１と、電源部２１を収納する電源筐体２２とを有する。電源ユニット２０は、さらに、赤外線信号（赤外光）を受信する赤外線通信モジュール４１と、無線信号を受信する無線通信モジュール４２とを有する。
【００３２】
電源部２１は、光源部１１を点灯させるための電力を生成する。具体的には、電源部２１は、外部から供給される交流電力を直流電力に変換する。電源部２１で生成されて直流電力は、アーム３０内を通る電源ケーブルによって光源部１１に供給される。
【００３３】
本実施の形態において、電源ユニット２０は、電源機能だけではなく、さらに、灯具１０（光源部１１）の照明態様を制御する照明制御機能を有する。具体的には、電源ユニット２０は、制御回路を構成する制御部によって、赤外線通信モジュール４１で受信した赤外線信号又は無線通信モジュール４２で受信した無線信号に応じて光源部１１の照明態様（発光態様）を制御する。例えば、電源ユニット２０は、制御回路によって、灯具１０（光源部１１）を点灯させたり消灯させたり、また、灯具１０（光源部１１）の明るさを変化させたり光色や色温度を変化させたりする。本実施の形態において、この制御部（制御回路）は、電源部２１とともに同じ回路基板に組み込まれている。
【００３４】
電源部２１は、電源回路であって、回路基板と、回路基板に実装された複数の回路素子とによって構成されている。回路基板は、所定形状の金属配線が形成されたプリント配線基板である。回路基板には、回路素子（回路部品）だけではなく、赤外線通信モジュール４１及び無線通信モジュール４２も搭載されていてもよい。赤外線通信モジュール４１及び無線通信モジュール４２は、回路基板の金属配線と電気的に接続されている。複数の回路素子には、光源部１１を発光させるための電力を生成する電源回路を構成する電源回路素子と、光源部１１の照明態様を制御する制御回路を構成する制御回路素子とが含まれる。
【００３５】
電源回路を構成する電源回路素子及び制御回路を構成する制御回路素子は、例えば、容量素子（電解コンデンサ、セラミックコンデンサ等）、抵抗素子（抵抗器等）、整流回路素子、コイル素子、トランス、ノイズフィルタ、ダイオード、集積回路素子（ＩＣ）、又は、半導体素子（ＦＥＴ等）等である。
【００３６】
電源回路（電源部２１）は、例えば、商用電源等の外部電源からの交流電力を、整流、平滑及び降圧等して所定レベルの直流電力に変換する。制御回路は、調光制御回路及び調色制御回路等である。制御回路によって電源回路から出力する直流電力が制御される。
【００３７】
電源筐体２２は、電源ボックスであり、例えば、アルミニウム等の金属材料によって構成された金属製の金属ケースである。本実施の形態において、電源筐体２２は、アルミダイキャスト製であるが、板金製であってもよい。
【００３８】
電源筐体２２は、電源部２１だけではなく、赤外線通信モジュール４１及び無線通信モジュール４２も収納している。なお、電源筐体２２には、その他の部品が収納されていてもよい。
【００３９】
電源筐体２２は、例えば長尺状の略直方体形状であり、上板部２２１と、下板部２２２と、第１側板部２２３と、第２側板部２２４と、前板部２２５と、後板部２２６とを有する。上板部２２１、下板部２２２、第１側板部２２３及び第２側板部２２４は、略長尺矩形板形状である。
【００４０】
上板部２２１は、電源筐体２２の天板を構成し、外面として上面２２１ｓを有する。上面２２１ｓは、電源筐体２２を被取付部（ライティングダクト等）に取り付けるための取付面である。上板部２２１には、ライティングダクト２に着脱自在に取り付けられるレバー５０が取り付けられている。レバー５０は、電源筐体２２に対して回転自在に設けられており、かつ、ライティングダクト２の溝部において回転することによってライティングダクト２のダクトレールに係止される構造を有する。
【００４１】
下板部２２２は、電源筐体２２の底板を構成し、外面として下面２２２ｓを有する。下面２２２ｓは、上面２２１ｓ（取付面）と背向する面である。図４に示すように、下面２２２ｓには、第１開口部２３が形成されている。
【００４２】
第１開口部２３は、赤外線通信モジュール４１により受信される赤外線信号が通る赤外線用開口部である。第１開口部２３は、下板部２２２を貫通する貫通孔である。第１開口部２３は、例えば、円形開口である。第１開口部２３の大きさは、例えば、直径が５ｍｍ〜２０ｍｍの小径開口である。このように、第１開口部２３の小径開口とすることで、第１開口部２３を目立たなくすることができるので、電源筐体２２の意匠性が悪くなることを抑制できる。本実施の形態において、第１開口部２３は、直径が１０ｍｍの円形開口とした。
【００４３】
第１側板部２２３は、外面として第１側面２２３ｓを有する。また、第２側板部２２４は、外面として第２側面２２４ｓを有する。図１、図２及び図５に示すように、第１側面２２３ｓ及び第２側面２２４ｓの各々には、第２開口部２４が形成されている。なお、第２開口部２４は、第１側面２２３ｓ及び第２側面２２４ｓの少なくともいずれか一方に形成されていればよい。
【００４４】
各第２開口部２４は、無線通信モジュール４２により受信される無線信号が通る無線信号用開口部である。第２開口部２４は、第１側板部２２３を貫通する貫通孔である。第２開口部２４は、長尺状のスリットである。本実施の形態において、第２開口部２４の開口形状は、電源筐体２２の長手方向（Ｘ軸方向）に延在する長尺の略長方形状である。具体的には、第２開口部２４は、第１側板部２２３（第２側板部２２４）の一方の端部から他方の端部にわたって直線状に形成されている。
【００４５】
本実施の形態では、無線信号の周波数はＵＨＦ帯であるので、第２開口部２４の延在方向の長さは、５０ｍｍ〜５００ｍｍである。例えば、無線信号として９２０ＭＨｚ帯の周波数を利用する場合、第２開口部２４の長さは、約１４０ｍｍ以上であるとよい。本実施の形態において、第２開口部２４は、開口幅が２ｍｍで長さが１６０ｍｍの直線状のスリットとした。
【００４６】
なお、前板部２２５には、アーム３０の一端部を回転可能に支持するアーム支持部２２５ａが設けられている。
【００４７】
［アーム］
アーム３０は、灯具１０を回動可能に支持する。アーム３０は、一端部が灯具１０に接続され、他端部が電源ユニット２０に接続される。
【００４８】
アーム３０と灯具１０との連結部分は角度調整自在となっており、灯具１０は、アーム３０に対して回転可能に支持されている。具体的には、図１に示される灯具１０は、光照射方向が水平方向から鉛直下方となるように回転できる。本実施の形態において、灯具１０は、図２に示す状態からＸＹ平面内において最大で９０°回転できるようにアーム３０に接続固定されている。
【００４９】
また、アーム３０と電源ユニット２０との連結部分も角度調整自在となっており、アーム３０は、電源ユニット２０（電源筐体２２）に対して回転可能に支持されている。具体的には、アーム３０は、電源ユニット２０に対して水平回転できるように構成されている。これにより、アーム３０に支持される灯具１０も水平回転できる。本実施の形態において、灯具１０（アーム３０）は、図３に示す状態からＸＹ平面内において左右に約１８０°ずつ回転できる。
【００５０】
図２及び図３において、一点鎖線は、灯具１０が可動できる範囲の一例を示している。つまり、灯具１０は、図２及び図３の一点鎖線で示される位置にまで移動することが可能である。
【００５１】
アーム３０は、アルミニウム等の金属材料によって構成されている。本実施の形態において、アーム３０は、アルミダイカスト製である。なお、アーム３０の内部には、灯具１０の光源部１１と電源ユニット２０の電源部２１とを電気的に接続する電源ケーブルを挿通させる挿通孔が設けられている。
【００５２】
［通信モジュール］
赤外線通信モジュール４１は、照明器具１を制御するための赤外線信号を受信する。赤外線通信モジュール４１は、赤外線信号を受信する赤外線受信部４１ａと、赤外線受信部で受信した赤外線信号を処理する処理回路（ＩＣ）とを有する。赤外線受信部４１ａは、例えば赤外線信号である赤外光を受光する。赤外線受信部４１ａで受信された赤外線信号は、処理回路で所定の制御信号（電気信号）に変換されて、電源ユニット２０の制御部及び電源部２１に出力される。
【００５３】
図１に示すように、赤外線通信モジュール４１で受信する赤外線信号は、例えば、赤外線送信機能を有する赤外線リモコン３から送信される。つまり、灯具１０及び赤外線リモコン３は、いずれも赤外線通信機能を有する。赤外線信号の波長は、一例として９４５ｎｍであるが、これに限らない。
【００５４】
赤外線通信モジュール４１との間で赤外線通信を行う赤外線リモコン３は、ユーザによって操作される。ユーザが赤外線リモコン３を操作することによって、赤外線リモコン３からは、照明器具１を制御するための赤外線信号が送信される。
【００５５】
本実施の形態では、例えば、赤外線リモコン３からは、灯具１０（光源部１１）から出射する照明光の照明態様を制御するための赤外線信号（個別照明制御用赤外線信号）が送信される。この場合、照明器具１の赤外線通信モジュール４１は、照明器具１を制御するための赤外線信号として、光源部１１の照明光の照明態様を制御するための赤外線信号（個別照明制御用赤外線信号）を受信する。
【００５６】
具体的には、ユーザが赤外線リモコン３を操作して照明制御用赤外線信号を照明器具１に送信することで、照明器具１の点消灯制御を行ったり、照明器具１の調光制御又は調光制御を行ったりできる。つまり、ユーザは、１台の照明器具１を個別制御したいような場合に、赤外線リモコン３を操作する。これにより、赤外線リモコン３からは、灯具１０（光源部１１）の点消灯制御を行うための赤外線信号、又は、灯具１０（光源部１１）の調光制御又は調色制御を行うための赤外線信号等の赤外線信号が送信される。
【００５７】
また、赤外線リモコン３からは、照明器具１と無線リモコン４とのペアリングを行うための赤外線信号（ペアリング用赤外線信号）も送信される。この場合、照明器具１の赤外線通信モジュール４１は、照明器具１を制御するための赤外線信号として、照明器具１を無線リモコン４に対応づけるための赤外線信号（ペアリング用赤外線信号）を受信する。
【００５８】
無線通信モジュール４２は、照明器具１を制御するための無線信号を受信する。無線通信モジュール４２は、無線信号を受信する無線アンテナ部４２ａと、無線アンテナ部４２ａで受信した無線信号を処理する処理回路（ＩＣ）とを有する。無線アンテナ部４２ａには、無線信号を受信する無線アンテナとして、例えば基板に設けられたパターンアンテナが設けられている。無線アンテナ部４２ａで受信された無線信号は、処理回路で所定の制御信号（電気信号）に変換されて、電源ユニット２０の制御部及び電源部２１に出力される。なお、無線通信モジュール４２が受信する無線信号の周波数は、上述のとおり、ＵＨＦ帯であり、一例として９２０ＭＨｚ帯であるが、これに限らない。
【００５９】
無線通信モジュール４２で受信する無線信号は、例えば、無線送信機能を有する無線リモコン４（電波リモコン）から送信される。無線リモコン４は、移動可能な携帯端末であってもよいが、壁等に取り付けられていてもよい。無線リモコン４は、例えば、室内の壁に設置されており、室内に設置された１台又は複数台の照明器具１に対して各種制御を行う。
【００６０】
無線通信モジュール４２との間で無線通信を行う無線リモコン４は、ユーザによって操作される。ユーザが無線リモコン４を操作することによって、無線リモコン４からは、照明器具１を制御するための無線信号が送信される。
【００６１】
本実施の形態では、無線リモコン４からは、当該無線リモコン４と照明器具１とのペアリングを行うための無線信号（ペアリング用無線信号）が送信される。この場合、照明器具１の無線通信モジュール４２は、照明器具１を制御するための無線信号として、無線リモコン４と当該照明器具１とを対応づけるための無線信号（ペアリング用無線信号）を受信する。
【００６２】
また、無線リモコン４からは、無線リモコン４とペアリング済みの複数の照明器具１を１つのグループとして、この１つのグループに属する複数の照明器具１を同時に制御するための無線信号（一括照明制御用無線信号）も送信される。この場合、照明器具１の無線通信モジュール４２は、照明器具１を制御するための無線信号として、無線リモコン４とペアリング済みの複数の照明器具１（１グループ内の複数の照明器具１）を同時に制御するための無線信号（一括照明制御用無線信号）を受信する。
【００６３】
ここで、赤外線リモコン３と無線リモコン４とを使って照明器具１の制御を行う場合の一例を説明する。特に、ペアリングの設定方法について説明する。
【００６４】
まず、無線リモコン４を操作して無線リモコン４をペアリングモードにして、無線リモコン４から照明器具１にペアリング用無線信号を送信する。これにより、照明器具１の無線通信モジュール４２は、無線リモコン４からのペアリング用無線信号を受信する。このとき、無線リモコン４とペアリングさせる照明器具１は、１台又は複数台のいずれであってもよく、ペアリング用無線信号を受信した１台又は複数の照明器具１が、無線リモコン４とペアリングされる候補となる。
【００６５】
次に、無線リモコン４からペアリング用無線信号が送信されている間に、赤外線リモコン３を操作することによって、無線リモコン４とペアリングさせる特定の照明器具１に対してペアリング用赤外線信号を送信する。赤外線リモコン３から送信されるペアリング用赤外線信号は、照明器具１の赤外線通信モジュール４１によって受信される。
【００６６】
これにより、ペアリング用赤外線信号を受信した特定の照明器具１が、ペアリング用無線信号を送信する無線リモコン４とペアリングされる。また、複数の照明器具１に対してペアリングを行う場合、各照明器具１に対応する赤外線リモコン３を順次操作して、ペアリング用赤外線信号を複数の照明器具１の各々に順次送信することによって、特定の１つの無線リモコン４と特定の複数の照明器具１とをペアリングすることができる。
【００６７】
そして、特定の無線リモコン４とペアリングされた１台又は複数の特定の照明器具１は、特定の無線リモコン４からの一括照明制御用無線信号によって同時に照明態様の制御が行われる。つまり、ペアリング設定が完了すると、１つの特定の無線リモコン４を操作することで、ペアリングされた１グループ内に属する複数の特定の照明器具１に対して、同時に点消灯制御を行ったり、同時に調光制御を行ったりできる。
【００６８】
また、複数の照明器具１とのペアリングが完了した後でも、各照明器具１に対応する赤外線リモコン３を操作することで、各照明器具１の照明態様を個別に制御することも可能である。
【００６９】
なお、本実施の形態において、無線通信モジュール４２は、無線信号を受信する機能のみを有しているが、これに限らず、無線信号を送信する機能を有していてもよい。この場合、無線リモコン４が無線信号を受信できる機能を有していれば、無線通信モジュール４２から送信された無線信号を無線リモコン４で受信することができる。
【００７０】
上述のように、赤外線通信モジュール４１及び無線通信モジュール４２は、電源筐体２２に収納されている。本実施の形態において、赤外線通信モジュール４１及び無線通信モジュール４２は、一体化されて１つの通信モジュールとしてユニット化されており、１つの樹脂ケース内に収納されている。このため、赤外線通信モジュール４１の処理回路と無線通信モジュール４２の処理回路とが共通のパッケージに収納されて１パッケージ化（１チップ化）されている。つまり、赤外線通信モジュール４１と無線通信モジュール４２とは１つの部品となっている。
【００７１】
赤外線通信モジュール４１の赤外線受信部４１ａには、電源筐体２２に形成された第１開口部２３を介して赤外線信号が到達する。図４に示すように、下面２２２ｓに向かって電源筐体２２を見たときに、第１開口部２３は、赤外線通信モジュール４１の赤外線受信部４１ａと重なる位置に形成されている。つまり、赤外線通信モジュール４１の赤外線受信部４１ａは、第１開口部２３から視認できる位置に存在する。
【００７２】
また、図２及び図３の一点鎖線で示される灯具１０の可動範囲から分かるように、第１開口部２３は、灯具１０がどのような向きに向けられても灯具１０と重ならない位置に形成されている。
【００７３】
一方、無線通信モジュール４２の無線アンテナ部４２ａには、電源筐体２２に形成された第２開口部２４を介して無線信号が到達する。この場合、第２開口部２４（スリット）は、無線通信モジュール４２の無線アンテナ部４２ａの無線アンテナと電磁的に結合されてスロットアンテナとして機能する。例えば、電源筐体２２に向けて無線信号（電磁波）が送信されると、この無線信号によって第２開口部２４の短手方向（幅方向）に電界が発生して第２開口部２４がアンテナとして機能し、受信した無線信号を無線通信モジュール４２の無線アンテナ部４２ａに向けて放射する。また、無線通信モジュール４２の無線アンテナ部４２ａが無線信号を送信する場合も同様に、この無線信号によって第２開口部２４の短手方向（幅方向）に電界が発生して第２開口部２４がアンテナとして機能し、無線信号を外部に放射する。
【００７４】
第２開口部２４をスロットアンテナとして機能させるために、無線通信モジュール４２は、電源筐体２２内において、第２開口部２４に近い位置に配置されているとよい。本実施の形態において、無線通信モジュール４２は、赤外線通信モジュール４１とともに、第１側板部２２３に形成された第２開口部２４の近傍に配置されている。
【００７５】
また、本実施の形態では、第２開口部２４が第１側板部２２３に形成されているので、図２〜図５に示すように、無線アンテナ部４２ａは縦置きに配置されている。具体的には、無線アンテナ部４２ａは、主面が第１側板部２２３に向くように配置されている。より具体的には、無線アンテナ部４２ａ（パターンアンテナが形成された基板）の主面は、第１側板部２２３の第１側面２２３ｓと平行である。無線アンテナ部４２ａを縦置きに配置にすることで、照明器具１に向けて送信された無線信号が第２開口部２４を介して無線アンテナ部４２ａに到達しやすくなり、無線通信の通信性能が向上する。
【００７６】
［まとめ］
以上、本実施の形態における照明器具１によれば、電源筐体２２は、赤外線通信モジュール４１と無線通信モジュール４２とを収納している。そして、電源筐体２２には、赤外線通信モジュール４１により受信される赤外線信号が通る第１開口部２３が形成されている。
【００７７】
この構成により、赤外線リモコン３による赤外線通信によって、照明器具１を個別に調光制御することができる。したがって、ユーザは照明器具１を直接操作することなく、点消灯制御や調光制御又はペアリング設定等の照明器具の制御を容易に行うことができる。
【００７８】
また、本実施の形態における照明器具１において、第１開口部２３は、電源筐体２２の下板部２２２の下面２２２ｓに形成されている。
【００７９】
本実施の形態のように、スポットライト等の照明器具１は、建物の天井又は梁等の上方に設置される場合が多いので、第１開口部２３を電源筐体２２の下板部２２２に形成することにより、第１開口部２３に赤外線信号を容易に通過させることができる。したがって、ユーザは、さらに照明器具の各種制御を容易に行うことができる。
【００８０】
また、本実施の形態における照明器具１において、第１開口部２３が形成された面（下面２２２ｓ）に向かって電源筐体２２を見たときに、第１開口部２３は、赤外線通信モジュール４１の赤外線受信部４１ａと重なる位置に形成されている。
【００８１】
赤外線リモコン３等から送信される赤外線信号は指向性が強く直進する。したがって、第１開口部２３を赤外線通信モジュール４１の赤外線受信部４１ａと重なる位置に形成することにより、第１開口部２３を通り抜けた赤外線信号が赤外線受信部４１ａに到達させやすくできる。これにより、ユーザは、調光制御を一層容易に行うことができる。
【００８２】
また、本実施の形態における照明器具１において、第１開口部２３は、灯具１０がどのような向きに向けられても灯具１０と重ならない位置に形成されている。
【００８３】
この構成により、灯具１０の向きを変えても第１開口部２３が灯具１０に遮られることがない。つまり、第１開口部２３が灯具１０に隠れてしまうことがない。これにより、灯具１０の向きにかかわらず、赤外線通信を行うことができる。つまり、灯具１０を可動させてスポット光の照射位置を自由に変えられるというスポットライトとしての機能を損なうことなく、赤外線通信を可能とすることができる。
【００８４】
また、本実施の形態における照明器具１において、金属製の電源筐体２２には、無線通信モジュール４２により受信される無線信号が通る第２開口部２４が形成されている。
【００８５】
赤外線信号と無線信号とでは、通過に適した開口部（貫通孔）の性質が異なる。したがって、第１開口部２３とは別に、無線通信に適した形状の第２開口部２４を形成することによって、赤外線通信だけではなく無線通信を容易に行うことができる照明器具１を実現できる。つまり、ユーザは、赤外線通信と無線通信との２方式による通信を快適に行うことができる。
【００８６】
特に、赤外線通信モジュール４１及び無線通信モジュール４２の両方が調光信号を受信できるようにすることで、赤外線通信と無線通信との２方式によって調光制御が可能な照明器具１を実現できる。したがって、この場合、ユーザは、赤外線リモコン３及び無線リモコン４のどちらのリモコンで操作しているかを意識することなく調光制御を行うことができる。
【００８７】
また、本実施の形態における照明器具１において、第２開口部２４は、長尺状のスリットである。
【００８８】
無線信号は、周波数に応じた一定以上の長さを有する開口であれば、開口の幅によらず通過しやすくなる性質を持つ。したがって、第２開口部２４を長尺状のスリットにすることで、照明器具１（電源筐体２２）に優れた意匠性を保ちつつ、無線通信の通信性能を向上させることができる。
【００８９】
また、本実施の形態における照明器具１において、第２開口部２４は、電源筐体２２の第１側板部２２３の第１側面２２３ｓに形成されている。そして、無線通信モジュール４２の無線アンテナ部４２ａは、主面が第１側板部２２３の第１側面２２３ｓに向くように配置されている。
【００９０】
無線通信モジュール４２は無線アンテナ部４２ａとの関係で無線通信には指向性があるが、本願発明者らの検討により、第２開口部２４の位置と無線通信モジュール４２の無線アンテナ部４２ａの向きとの関係で、無線通信の通信性能が大きく変化することが分かった。
【００９１】
そして、本実施の形態のように、第２開口部２４を電源筐体２２の第１側板部２２３に形成し、かつ、無線通信モジュール４２の無線アンテナ部４２ａの主面を第１側板部２２３の第１側面２２３ｓに向ける（つまり、無線アンテナ部４２ａを縦置きにする）ことで、無線通信の通信性能を大きく向上させることができた。
【００９２】
なお、無線アンテナ部４２ａを縦置きにする場合、第２側板部２２４に形成された第２開口部２４についても同様の効果が得られるが、無線アンテナ部４２ａと第２開口部２４とは近い方が通信性能はより向上する。
【００９３】
（変形例１）
次に、変形例１に係る照明器具１Ａについて、図６を用いて説明する。図６は、変形例１に係る照明器具１Ａの側面図である。
【００９４】
上記実施の形態における照明器具１では、第１開口部２３が電源筐体２２の下板部２２２に形成されていたが、本変形例における照明器具１Ａでは、第１開口部２３が電源筐体２２の第１側板部２２３に形成されている。つまり、第１開口部２３は、第２開口部２４が形成された面と同一面（第１側面２２３ｓ）に形成されている。
【００９５】
本変形例における照明器具１Ａでも、上記実施の形態１と同様の効果を奏する。具体的には、赤外線通信と無線通信との２方式による通信を快適に行うことができる等の効果を奏する。
【００９６】
特に、本変形例では、第１開口部２３と第２開口部２４とが同じ第１側面２２３ｓに形成されている。これにより、ユーザは、赤外線通信を行う場合でも無線通信を行う場合でも、第１側板部２２３（第１側面２２３ｓ）に向けてリモコン（赤外線リモコン３、無線リモコン４）の操作をすれば、調光制御等の照明器具１の制御を行うことができる。つまり、ユーザは、赤外線リモコン３及び無線リモコン４のどちらのリモコンで操作しているかを意識することなく調光制御等を行うことができる。
【００９７】
（変形例２）
次に、変形例２に係る照明器具１Ｂについて、図７〜図９を用いて説明する。図７は、変形例２に係る照明器具１Ｂの斜視図である。図８は、同照明器具１Ｂの底面図である。図９は、同照明器具１Ｂの断面図である。
【００９８】
上記実施の形態における照明器具１では、第１開口部２３が電源筐体２２の下板部２２２に形成され、かつ、第２開口部２４が電源筐体２２の第１側板部２２３に形成されていたが、本変形例における照明器具１Ｂでは、第１開口部２３の位置と第２開口部２４の位置とが入れ替わっており、図７〜図９に示すように、第１開口部２３が電源筐体２２の第１側板部２２３に形成され、かつ、第２開口部２４が電源筐体２２の下板部２２２に形成されている。
【００９９】
本変形例における照明器具１Ｂでも、上記実施の形態１と同様の効果を奏する。具体的には、赤外線通信と無線通信との２方式による通信を快適に行うことができる等の効果を奏する。
【０１００】
また、本変形例では、無線通信モジュール４２の無線アンテナ部４２ａの配置が上記実施の形態とは異なっており、無線アンテナ部４２ａは、横置きに配置されている。具体的には、無線アンテナ部４２ａは、主面が、第２開口部２４が形成された下板部２２２に向くように配置されている。より具体的には、無線アンテナ部４２ａ（パターンアンテナが形成された基板）の主面は、下板部２２２の下面２２２ｓと平行になっている。
【０１０１】
このように、無線アンテナ部４２ａを第２開口部２４の位置に合わせて横置きに配置にすることで、照明器具１に向けて送信された無線信号が第２開口部２４を介して無線アンテナ部４２ａに到達しやすくなる。これにより、無線通信の通信性能を大きく向上させることができる。
【０１０２】
なお、無線信号用の第２開口部２４は、図１０に示すように、長尺状のスリットとした方がよい。この場合、第２開口部２４は、例えば、上記実施の形態と同様に、開口幅が２ｍｍで長さが１６０ｍｍの直線状のスリットとすることができる。
【０１０３】
このように、第２開口部２４を長尺状のスリットにすることで、無線通信の通信性能をさらに向上させることができる。
【０１０４】
（変形例３）
次に、変形例３に係る照明器具１Ｃについて、図１１を用いて説明する。図１１は、変形例３に係る照明器具１Ｃの斜視図である。
【０１０５】
上記実施の形態における照明器具１では、第１開口部２３が円形であったが、本変形例における照明器具１Ｃでは、第１開口部２３が長尺状である。具体的には、本変形例において、第１開口部２３は、長方形である。なお、それ以外の構成は、実施の形態１と同じである。
【０１０６】
以上、本変形例における照明器具１Ｃでも、上記実施の形態１と同様の効果を奏する。具体的には、赤外線通信と無線通信との２方式による通信を快適に行うことができる等の効果を奏する。
【０１０７】
また、本変形例では、第１開口部２３が長尺状であるので、赤外線リモコン３で操作可能な領域に指向性を持たせることができる。
【０１０８】
具体的には、第１開口部２３を長尺状にすることで、第１開口部２３の長手方向における赤外線通信モジュール４１（赤外線受信部４１ａ）の赤外線信号の受信感度を、第１開口部２３の短手方向における赤外線通信モジュール４１（赤外線受信部４１ａ）の赤外線信号の受信感度よりも相対的に大きくできる。
【０１０９】
これにより、例えば照明器具１Ｃを複数台並べて配置する場合に、制御対象として狙った照明器具１Ｃに対してのみ赤外線通信を行うことが可能となる。つまり、制御対象として狙った照明器具以外の照明器具までも制御されてしまうことを抑制できる。例えば、複数の照明器具が同時に調光されてしまうことを回避できる。
【０１１０】
（変形例４）
次に、変形例４に係る照明器具１Ｄについて、図１２を用いて説明する。図１２は、変形例４に係る照明器具１Ｄの断面図である。
【０１１１】
上記実施の形態における照明器具１では、図５に示すように、電源筐体２２を断面視したときに、第２開口部２４は、第１側板部２２３（第２側板部２２４）の厚み方向に沿ってストレートに形成されていたが、本変形例における照明器具１Ｄでは、図１２に示すように、電源筐体２２を断面視したときに、第２開口部２４は、第１側板部２２３（第２側板部２２４）の厚み方向に沿って傾斜している。つまり、第２開口部２４は、断面視が斜めになっている斜めスリットである。
【０１１２】
具体的には、上記実施の形態における照明器具１では、図５に示すように、第２開口部２４は、第１側板部２２３の第１側面２２３ｓ（第２側板部２２４の第２側面２２４ｓ）に対して直交する方向（つまりＹ軸に平行）にストレートに形成されていた。
【０１１３】
これに対して、本変形例における照明器具１Ｄでは、図１２に示すように、電源筐体２２を断面視したときに、第２開口部２４は、第１側板部２２３の第１側面２２３ｓ（第２側板部２２４）の外面から内面に向かったときに上板部２２１に近づく方向（つまり被取付部に近づく方向）に傾斜している。なお、それ以外の構成は、実施の形態１と同じである。
【０１１４】
以上、本変形例における照明器具１Ｄでも、上記実施の形態１と同様の効果を奏する。具体的には、赤外線通信と無線通信との２方式による通信を快適に行うことができる等の効果を奏する。
【０１１５】
また、本変形例では、電源筐体２２を断面視したときに第２開口部２４が傾斜しているので、照明器具１Ｄ（電源筐体２２）の意匠性を向上させたり、無線通信の通信性能を向上させたりできる。
【０１１６】
この場合、本実施の形態では、第２開口部２４は、第１側板部２２３（第２側板部２２４）の厚み方向に沿って上板部２２１に近づく方向に傾斜しているので、照明器具１Ｄの意匠性を向上させることができる。
【０１１７】
つまり、電源ユニット２０（電源筐体２２）は、ユーザの頭上に位置する被取付部に取り付けられることが多いため、無線通信を行う場合にユーザは見上げることが多くなるが、第２開口部２４を第１側板部２２３（第２側板部２２４）の厚み方向に沿って上板部２２１に近づく方向に傾斜させることで、ユーザが電源筐体２２を見上げたときに、電源筐体２２の内部がユーザから見えにくくなる。また、第２開口部２４の存在そのものが目立たなくなる。これにより、照明器具１Ｄ（電源筐体２２）の意匠性を向上させることができる。
【０１１８】
（変形例５）
次に、変形例５に係る照明器具１Ｅについて、図１３を用いて説明する。図１３は、変形例５に係る照明器具１Ｅの断面図である。
【０１１９】
上記変形例４における照明器具１Ｄでは、第２開口部２４は、第１側板部２２３（第２側板部２２４）の厚み方向に沿って上板部２２１に近づく方向に傾斜していたが、本変形例における照明器具１Ｅでは、図１３に示すように、電源筐体２２を断面視したときに、第２開口部２４は、第１側板部２２３（第２側板部２２４）の厚み方向に沿って上板部２２１から離れる方向に傾斜している。つまり、本変形例における第２開口部２４は、変形例４と同様に、断面視が斜めになっている斜めスリットであるが、変形例４とは異なり、第１側板部２２３（第２側板部２２４）の厚み方向に沿って下板部２２２に近づく方向に傾斜している。
【０１２０】
具体的には、本変形例における照明器具１Ｅでは、電源筐体２２を断面視したときに、第２開口部２４は、電源筐体２２の第１側板部２２３（第２側板部２２４）の外面から内面に向かたっときに上板部２２１から離れる方向（つまり被取付部から離れる方向）に傾斜している。なお、それ以外の構成は、実施の形態１と同じである。
【０１２１】
以上、本変形例における照明器具１Ｅでも、上記実施の形態１と同様の効果を奏する。具体的には、赤外線通信と無線通信との２方式による通信を快適に行うことができる等の効果を奏する。
【０１２２】
また、本変形例では、電源筐体２２を断面視したときに、第２開口部２４は、第１側板部２２３（第２側板部２２４）の厚み方向に沿って上板部２２１から離れる方向に傾斜しているので、照明器具１Ｅの無線通信の通信性能を向上させることができる。
【０１２３】
つまり、第２開口部２４は、第１側板部２２３（第２側板部２２４）の厚み方向に沿って下板部２２２に近づく方向に傾斜しているので、ユーザが上方に向けて無線リモコン４による無線信号を送信したときに、第２開口部２４に無線信号が通過しやすくなる。これにより、照明器具１Ｅの無線通信の通信性能を向上させることができる。
【０１２４】
なお、無線リモコン４は、天井付けタイプ又は壁掛けタイプ等、複数種類あるが、全て無線リモコン４の種類に応じて第２開口部２４の傾斜角を選ぶことで、さらに照明器具１Ｅの無線通信の通信性能を向上させることができる。
【０１２５】
（その他の変形例）
以上、本発明に係る照明器具について、実施の形態に基づいて説明したが、本発明は、上記実施の形態に限定されるものではない。
【０１２６】
例えば、上記実施の形態において、第１開口部２３と第２開口部２４とは別々に分離されて形成されていたが、これに限らない。つまり、図１４及び図１５に示すように、第１開口部２３と第２開口部２４とを合体させて、無線信号及び赤外線信号の両方が通る１つの共通開口部２５として形成されていてもよい。なお、図１４では、長方形の第１開口部２３と長尺状の第２開口部２４とを合わせた形状の共通開口部２５とし、図１５では、円形の第１開口部２３と長尺状の第２開口部２４とを合わせた形状の共通開口部２５としたが、第１開口部２３と第２開口部２４との形状の組み合わせは、これに限るものではない。
【０１２７】
また、上記実施の形態において、光源部１１は、青色ＬＥＤと黄色蛍光体とによって白色光を放出するように構成したが、これに限らない。例えば、赤色蛍光体及び緑色蛍光体を含有する蛍光体含有樹脂を用いて、この蛍光体含有樹脂と青色ＬＥＤとを組み合わせることで白色光を放出するように構成しても構わない。
【０１２８】
また、上記実施の形態において、ＬＥＤとして、青色ＬＥＤを用いたが、これに限らない。例えば、ＬＥＤとしては、青色以外の色の光を発光するものや、紫外光を発するものを用いてもよい。この場合、蛍光体としては、ＬＥＤが発する光の波長に応じて適宜選択すればよい。
【０１２９】
また、上記実施の形態において、光源部１１は、実装基板上にＬＥＤチップを直接実装したＣＯＢ構造としたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を１個又は複数個、実装基板に実装した構成である。
【０１３０】
また、上記実施の形態では、光源部１１の光源としてＬＥＤを例示したが、これに限らない。例えば、光源部１１の光源としては、半導体レーザ等の半導体発光素子、又は、有機ＥＬ（Ｅｌｅｃｔｒｏ  Ｌｕｍｉｎｅｓｃｅｎｃｅ）や無機ＥＬ等、ＬＥＤ以外の固体発光素子を用いてもよいし、蛍光ランプや高輝度ランプ等の既存のランプを用いてもよい。
【０１３１】
その他、上記実施の形態に対して当業者が思いつく各種変形を施して得られる形態や、本発明の趣旨を逸脱しない範囲で上記実施の形態における構成要素及び機能を任意に組み合わせることで実現される形態も本発明に含まれる。
【符号の説明】
【０１３２】
１、１Ａ、１Ｂ、１Ｃ、１Ｄ、１Ｅ  照明器具
２  ライティングダクト（被取付部）
３  赤外線リモコン
４  無線リモコン
１０  灯具
１１  光源部
２０  電源ユニット
２１  電源部
２２  電源筐体
２３  第１開口部
２４  第２開口部
３０  アーム
４１  赤外線通信モジュール
４１ａ  赤外線受信部
４２  無線通信モジュール
４２ａ  無線アンテナ部
２２１ｓ  上面（取付面）
２２３ｓ  第１側面（側面）
２２４ｓ  第２側面（側面）
【図１】
2018139202.tif 000003
【図２】
2018139202.tif 000004
【図３】
2018139202.tif 000005
【図４】
2018139202.tif 000006
【図５】
2018139202.tif 000007
【図６】
2018139202.tif 000008
【図７】
2018139202.tif 000009
【図８】
2018139202.tif 000010
【図９】
2018139202.tif 000011
【図１０】
2018139202.tif 000012
【図１１】
2018139202.tif 000013
【図１２】
2018139202.tif 000014
【図１３】
2018139202.tif 000015
【図１４】
2018139202.tif 000016
【図１５】
2018139202.tif 000017